(57)【要約】多数のアクセスシステムに存在するユーザ端末において候補アクセスルータ発見（ＣＡＲＤ）情報を取り出す方法。ＣＡＲＤ情報は、アクセスシステムのアクセスルータ間のＩＰ制御プレーンで交換される。しかし、そのユーザ端末はＩＰ制御プレーンをもたない。本発明に従えば、ＣＡＲＤプロトコル情報は、ユーザ端末とアクセスルータとの間でベアラサービスセットアップのために用いられる従来のプロトコルに対する拡張、或は、そのシステム特性の同報のために個々のアクセスシステムにより用いられる従来のプロトコルに対する拡張として、ユーザ端末に送信されるＬ２情報メッセージへと変換される。前者の場合には、変換されたＣＡＲＤ情報は現在のアクセスルータとユーザ端末との間のＬ２ベアラサービスで送信される。後者の場合には、変換された情報は個々のアクセスルータにより同報される。本発明はまた、無線アクセスルータと端末にも関する。
2007529136.tif 000002
【特許請求の範囲】
【請求項１】
夫々にアクセス技術を備え、夫々に関係するアクセスポイントではアクセスルータを備えた複数の無線ネットワークを有し、前記アクセスルータはＩＰ制御プレーンでＣＡＲＤプロトコルを用いてＣＡＲＤ情報を交換するマルチアクセスシステムに存在するユーザ端末における候補アクセスルータ能力の発見情報（ＣＡＲＤ情報）を取り出す方法であって、
ＣＡＲＤプロトコル情報をレイヤ２情報メッセージに変換し、
少なくともレイヤ２無線サービスにおける各無線ネットワークの前記変換されたＣＡＲＤプロトコル情報を前記ユーザ端末に送信することを特徴とする方法。
【請求項２】
各無線ネットワークにおいて前記変換されたＣＡＲＤプロトコル情報を同報することを特徴とする請求項１に記載の方法。
【請求項３】
前記ユーザ端末が現在接続されている現在のアクセスルータから前記変換されたＣＡＲＤプロトコル情報を送信することを特徴とする請求項１に記載の方法。
【請求項４】
前記ユーザ端末の必要に適合する、前記現在のアクセスルータにより提供された能力よりも良好な能力を提供する候補アクセスルータがあるときのみに、前記ＣＡＲＤ情報を送信することを特徴とする請求項３に記載の方法。
【請求項５】
夫々にアクセス技術を備え、夫々に関係するアクセスポイントではアクセスルータを備えた複数の無線ネットワークを有し、前記アクセスルータはＩＰ制御プレーンでＣＡＲＤプロトコルを用いてＣＡＲＤ情報を交換するマルチアクセスシステムに存在するユーザ端末における候補アクセスルータ能力の発見情報（ＣＡＲＤ情報）を取り出す方法であって、
前記ユーザ端末では、
最初に、レイヤ２情報に変換された同報されたＣＡＲＤプロトコル情報を各無線ネットワークにおいて聴取する工程と、
次に、前記ユーザ端末の要求に最も良く合致する能力を提供する無線ネットワークを選択する工程と、
前記現在のアクセスルータとなる前記アクセスルータに対する無線接続を確立することにより、前記ユーザ端末を前記選択された無線ネットワークのアクセスルータに接続する工程と、
最後に、同報された変換されたＣＡＲＤレイヤ２情報に対する聴取を停止し、代わりに前記確立された無線接続で前記現在のアクセスルータから送信された変換されたＣＡＲＤレイヤ２情報を聴取する工程とを有することを特徴とする方法。
【請求項６】
前記ユーザ端末は、ＵＭＴＳネットワークのアクセスルータに接続されたデュアルスタックのＵＭＴＳ／ＷＬＡＮ端末であり、
ＵＭＴＳシグナリングプロトコルをＣＡＲＤプロトコル情報で拡張し、
前記プロトコル拡張に、前記現在のアクセスルータが前記ＣＡＲＤプロトコルを用いることにより隣接アクセスルータから収集した情報を挿入することを特徴とする請求項１乃至５のいずれかに記載の方法。
【請求項７】
ＩＰ制御プレーンにおいてＣＡＲＤプロトコルを用いて同じ或は１つ以上の異なる無線ネットワークに属する隣接アクセスルータの能力についての情報を交換するためのプロトコルとインタフェース手段（１５，２２，２３）が備えられた無線ネットワークの無線アクセスルータであって、
前記ＩＰ制御プレーンにおけるＣＡＲＤプロトコル情報を対応するレイヤ２情報に変換する変換器（１６）を有し、
前記隣接アクセスルータは、マルチアクセス環境においてユーザ端末がアクセスするための候補であることを特徴とする無線アクセスルータ。
【請求項８】
前記端末が現在接続されている前記アクセスルータにより提供されるＣＡＲＤ機能をもつ候補アクセスルータにより提供されるＣＡＲＤ機能を評価し、前記現在のアクセスルータよりも良好なＣＡＲＤ機能をもつ候補アクセスルータが存在することを前記評価が明らかにする場合にのみ、レイヤ２に変換されたＣＡＲＤ情報の送信を開始する手段（２７）をさらに有し、
その場合に、前記手段は前記対応するＣＡＲＤ情報を送信するよう適合されていることを特徴とする請求項７に記載の無線アクセスルータ。
【請求項９】
請求項７に記載のアクセスルータが接続されたアクセスネットワークを有するマルチアクセス環境において使用する、送受信を行なう通常の手段を備えた、ＩＰ接続プレーンを欠いた端末であって、
レイヤ２において送信される変換されたＣＡＲＤ情報に関係するプロトコル拡張を認識する手段（２１）を有することを特徴とする端末。
【発明の詳細な説明】
【技術分野】
【０００１】
本発明は、候補アクセスルータ能力の発見方法、アクセスルータ、及び端末に関する。
【背景技術】
【０００２】
非特許文献１には、候補アクセスルータの発見（Candidate Access Router Discovery：ＣＡＲＤ）についての背景が良く説明されている。ＣＡＲＤについて読者に慣れ親しんでもらうために、次の文章を非特許文献１から引用する。
【０００３】
無線ネットワークでは、移動体ノードは自分のアクセスルータをあちらこちらへと変更する必要がある、このハンドオーバを途切れなく行なうために、前もって、どこと接続するのかを知る必要がある。候補アクセスルータの発見方法が用いられて移動体ノードが接続可能なアクセスルータを発見する。全てのルータは等しい能力をもつことはなく、移動体ノードが自分が必要とするサービスをどこで獲得できるのかを決定することができるために、候補アクセスルータの発見方法が候補アクセスルータの能力を見出すのである。
【０００４】
図１は基本的な状況を図示している。移動体ノードＭＮが現在のアクセスポイントＡＰを介して現在のアクセスルータＡＲと接続されている。ＡＰ１とＡＰ２のカバレッジ領域はまた、ＭＮの現在の場所をカバーしている。それで、ＡＰ１とＡＰ２とに夫々サービスを行う２つの候補アクセスルータ（ＣＡＲ）ＡＲ１とＡＲ２とがある。ＣＡＲＤはＩＰアドレスとルータＡＲ１とＡＲ２の能力を解明する。ＡＲ３はＣＡＲではない。なぜなら、そのＭＮはＡＰ３のカバレッジ領域にはないからである。アクセスポイントはそのサービスを提供するアクセスルータに接続している。アクセスルータはさらにＩＰネットワークに接続している。
【０００５】
移動体ノード（ＭＮ）はＩＰネットワークへの接続点を移動することのできるＩＰホストとして定義される。
【０００６】
アクセスルータ（ＡＲ）はアクセスネットワーク内にあり、１つ以上のＡＰに接続されるＩＰルータとして定義される。ＡＲはＭＮへのＩＰ接続を提供する。
【０００７】
アクセスポイント（ＡＰ）は、ＭＮが有線ネットワークとのレイヤ２（Ｌ２）接続を獲得する無線トランシーバとして定義される。
【０００８】
移動体ノードＭＮはＬ２のビーコンを聴取して、ＣＡＲに接続できる新しいアクセスポイントを突き止める。アドレス逆変換がＡＰのＬ２ＩＤを、そのＡＰが接続されるＣＡＲのＩＰアドレスにマップするために必要である。ＣＡＲ能力の発見は、ＭＮの必要に最良のサービスを行なうようなＡＲを選択することを可能にする。能力の情報はターゲットアクセスルータ（ＴＡＲ）選択アルゴリズムへの入力として用いられる。その能力とは、例えば、機密保護機能、利用可能バンド幅、アクセス費用、ＱｏＳサービスなどである。
【０００９】
ＣＡＲＤとともに実施されるいくつかの特徴とは、ロードバランシング、最小コストでの呼発信、資源を消費するアプリケーションである。その能力の情報に基づいて、移動体ノードが最小の負荷でＡＲを選択し、このようにしてＡＲ間の負荷をバランスすることに助けとなり、或は、新しいルータがアクセス価格に基づいて選択され、最も安価な可能性のあるサービスを得ることができる。
【００１０】
資源を消費するアプリケーションは広いバンド幅とおそらくはＱｏＳサポートを要求する。ＣＡＲＤがあれば、適切なＡＲが見出される。
【００１１】
非特許文献２に記載のＣＡＲＤプロトコルはＩＰレイヤプロトコルであり、これによりＭＮとＡＲとの間の、また、個々のＡＲの間でのシグナリングが可能になりＣＡＲ情報を取得する。そのシグナリングはＮＭも統合されたものであるかもしれないし、ネットワークがアシストするものであるかもしれない。ＭＮが統合したモードでは、ＭＮがＣＡＲＤプロトコルを実行する。ネットワークがアシストするモードでは、ＣＡＲＤは現在のＡＲで実行される。
【００１２】
ＣＡＲＤプロトコルは、ＭＮが新しいＡＰを発見する一方、Ｌ２ビーコンを聴取しているときに開始される。そのメッセージの形式はそのメッセージが送信されるインタフェースに依存する。ＭＮ−ＡＲインタフェースはＩＣＭＰ（インタフェース制御メッセージプロトコル：Internet Control Message Protocol）メッセージを使用するか、或は、他のＩＣＭＰメッセージの上に載せられる。ＡＲ−ＡＲインタフェースとＡＲ−ＣＡＲＤサーバとはＵＤＰ（ユーザ・データグラム・プロトコル）を転送機構として用いる。
【００１３】
これで、非特許文献１の引用を終える。
【００１４】
交換されるメッセージは図２に示されている。ユーザ端末１はＣＡＲＤ要求メッセージ３により現在のアクセスルータ２からのＣＡＲＤ情報を要求する。現在のアクセスルータはＣＡＲＤ応答メッセージ４で返答する。もし、要求された情報が現在のアクセスルータで確立されたＣＡＲテーブルにないなら、このアクセスルータは、ユーザ端末に送信前に候補アクセスルータからの情報を要求しなければならない。それ故に、現在のアクセスルータはＡＲ−ＡＲ  ＣＡＲＤ要求５を候補アクセスルータ６に送信し、そのルータはＡＲ−ＡＲ  ＣＡＲＤ応答７で応答する。この方法により、ユーザ端末は、アクセス選択処理に入力されるものである候補アクセスルータ情報（ＩＰアドレスとアクセスルータ能力）を取得する。ＣＡＲＤメッセージの内容（サブオプション）は、
ＣＡＲＤ要求：Ｌ２  ＩＤ，プリファレンス，要求
ＣＡＲＤ応答：Ｌ２  ＩＤ，能力コンテナ，ＩＰアドレス
である。
【非特許文献１】ペイビ・カンカアンペイイ（Paivi Kankaanpaa）著、「候補アクセスルータの発見（Candidate Access Router Discovery）」、ヘルシンキ工科大学、通信ソフトウェア・マルチメディア研究所（Helsinki University of Technology, Telecommunications software and multimedia laboratory）、２００３年５月２８日
【非特許文献２】パット・カルホウン、ジェームス・ケンプ（Pat Calhoun, James Kempf）著、「コンテキスト転送、ハンドオフ候補の発見、及びドーマントモードでのホスト警告（シーモビィ）（Context Transfer, Handoff Candidate Discovery, and Dormant Mode Host Alerting(seamoby)）」、２００３年１０月１６日、http://www.ietf.org/html.charters/seamoby-charter.html
【発明の開示】
【発明が解決しようとする課題】
【００１５】
現在の移動体ユーザ端末の大部分は、ＩＰ制御プレーンをもたず、それ故に、ＣＡＲＤ情報を利用して新しいアクセスポイントや新しいアクセスルータを選択したり、あるアクセスネットワークから別のアクセスネットワークへと接続を移動させることができない。また、今日のアクセスネットワークの多くは、ＵＭＴＳ、ＣＤＭＡ２０００、ＧＰＲＳやＥＤＧＥのようなＧＳＭを基礎とするネットワークの間では、ＩＰ制御プレーンを欠いている。本発明は、この種の端末、特に、ＵＴＲＡＮインタフェースとＷＬＡＮインタフェースとをもつデュアルスタックユーザ端末に関するものである。また、本発明はＣＡＲＤプロトコルをサポートし、ＩＰ制御プレーンを欠いたネットワークに接続されるアクセスルータに関するものである。
【００１６】
今日のデュアルスタックユーザ端末の別の欠点は、それらの端末が種々のアクセスネットワークへと向かうそのインタフェース全てを介して各アクセスネットワークからのＬ２ビーコンを受信するために聴取をしなければならないことである。前記ビーコンは、ユーザ端末が他のアクセスネットワークの存在に注意を払うために用いられる。全てのインタフェースを介した聴取は、端末の電池を消耗させる。
【００１７】
発明の要約
本発明は、今日のユーザ端末の欠点を取り除くか、或はその大部分を軽減し、これによりＩＰ制御プレーンをもたないユーザ端末が無線ネットワークのアクセスルータ間のＩＰ制御プレーンでシグナリングされる候補アクセスルータ発見情報（ＣＡＲＤ情報）を取り出すことを可能にすることを主要な目的としている。その取り出されたＣＡＲＤ情報は、その機能がユーザ端末のもつ要求を最も良く満たす候補アクセスルータを選択するために用いられる。
【００１８】
本発明の別の目的は、変換されたＣＡＲＤ情報を、ＩＰ制御プレーンを欠く現存の端末と将来の端末とに、また、ＩＰ制御プレーンを欠くが本発明に従うアクセスルータに接続される現存のアクセスネットワークと将来のアクセスネットワークとにシグナリングすることを可能にすることである。
【課題を解決するための手段】
【００１９】
この目的は、請求項１に記載された方法の工程を用いて達成される。Ｌ３でのＣＡＲＤプロトコル情報はＬ２情報メッセージへと変換される。そのＬ２情報メッセージは、ユーザ端末とアクセスルータとの間でセットアップされたベアラサービスのために用いられる従来のプロトコルに対する拡張か、或は、そのシステム特性を同報する個々のアクセスシステムにより用いられる従来のプロトコルに対する拡張としてユーザ端末に送信される。前者の場合には、変換されたＣＡＲＤ情報は現在のアクセスルータとユーザ端末との間のＬ２ベアラサービスで送信され、後者の場合には、その変換された情報はＬ２レベルで各アクセスルータにより同報される。
【００２０】
請求項２に従う発明により得られる利点は、アクセスルータからＬ２で従来のようにビーコンが送られるように、ただわずかな変更がプロトコル情報になされることが必要なだけである点にある。
【００２１】
請求項３に従う発明により得られる利点は、候補アクセスネットワークにおいてアクセスルータから発信されるＣＡＲＤ情報が１つでかつ同じインタフェース、即ち、現在のアクセスルータに対するインタフェースによりユーザ端末によって受信される点にある。
【００２２】
請求項７に従う発明により得られる利点は、ユーザ端末は短期間だけその全てのインタフェースを聴取してユーザ端末の必要に最も良く適合するアクセスを決定するので、電池の消耗が著しく低減される点にある。次に、最善のアクセスルータへのアクセスが確立され、ユーザ端末は、アクセスが確立された１つを除き全てのアクセスネットワークとのインタフェースの動作を停止する。
【発明を実施するための最良の形態】
【００２３】
図３にはユーザ端末１が示されており、広域セルラネットワーク９と無線ローカルエリアネットワーク９（ＷＬＡＮ）のカバレッジ領域に位置している。これらネットワークは両方ともＩＰバックボーンネットワーク１０に接続されている。候補アクセスルータ６はＷＬＡＮをＩＰバックボーンネットワークに接続し、現在のアクセスルータ２はセルラネットワーク８をＩＰバックボーンネットワークに接続している。
【００２４】
ユーザ端末は２つのインタフェース１１、１２をもつダブルスタック端末であり、これら２つのインタフェースにより、その端末はＷＬＡＮと広域セルラネットワークと夫々通信を行なうことができる。端末はレイヤ２ゲートウェイ（Ｌ２ＧＷ）１３を介して現在のアクセスルータに接続される。
【００２５】
ＷＬＡＮのアクセスルータ６は多くのアクセスポイント１４をもつが、説明を明瞭簡単にするために１つだけが示されている。
【００２６】
ＣＡＲＤプロトコルを用いて、現在のアクセスルータはＣＡＲＤ情報をその隣接するアクセスルータと交換する。現在のアクセスルータにより受信されるＣＡＲＤ情報は、不図示のＣＡＲＤリストに格納される。ＣＡＲＤプロトコルのシグナリングは線１５により模式的に示されている。
【００２７】
本発明の第１の実施例に従えば、現在のアクセスルータがその隣接するアクセスルータから収集したＣＡＲＤ情報が対応するＬ２情報に変換され、その後、そのＬ２情報はユーザ端末に、ユーザ端末と現在のアクセスルータとの間のベアラサービスによりセットアップされる従来のプロトコルへの拡張であるメッセージでシグナリングされる。拡張であるメッセージはもちろんユーザ端末により理解されねばならない。変換されたＣＡＲＤ情報が一度ユーザ端末により受信されたならば、その情報は不図示のＴＡＲ選択アルゴリズムによるアクセス選択のために用いられる。
【００２８】
上記のことを実施するために、現在のアクセスルータはＩＰを基礎とするＣＡＲＤ情報をＬ２を基礎とする情報に変換する変換器１６を有する。Ｌ２を基礎とする情報はＬ２エンティティ１７に転送され、次に、そのエンティティはその情報をＬ２ＧＷに送信する。Ｌ２ＧＷはシグナリングとベアラサービスセットアップのためにＬ２機能を備え、また、ベアラサービスセットアッププロトコルにより用いられる従来のシグナリングメッセージとそれに加えて変換されたＣＡＲＤ情報を受信し、これをサービス品質（ＱｏＳ）マネージャ１９に転送するＬ２エンティティ１８を有している。そのマネージャは従来の方法でユーザ端末に対するベアラサービスをセットアップする。本発明に従えば、ＱｏＳマネージャはまた、Ｌ２エンティティから変換されたＣＡＲＤ情報をフェッチし、これを広域セルラネットワークによりＱｏＳマネージャ２０を備えたユーザ端末に転送する。従来のプロトコルメッセージを理解することに加えＱｏＳマネージャ２０はさらに、変換されたＣＡＲＤ情報に関するプロトコル拡張を理解する手段２１が備えられている。
【００２９】
アクセスルータ６、２におけるＣＡＲＤ処理或は状態は２２、２３で示されている。
【００３０】
具体的な実施形としては、広域セルラネットワークはＵＭＴＳである。Ｌ２ＧＷと現在のアクセスルータはＧＧＳＮノード（ゲートウェイＧＰＲＳサポートノード）では同じ場所に設置されている。Ｌ２ＧＷはＵＭＴＳシグナリングとＵＭＴＳベアラサービスを提供する。Ｌ２エンティティ１７、１８は、例えば、光ケーブルと破線により模式的に示されているオープンインタフェースを用いて相互接続されると良い。ＱｏＳマネージャ１９、２０により用いられるＵＭＴＳプロトコルは、ＣＡＲＤ機能に関係する拡張、即ち、アドレス逆変換とＣＡＲ能力の発見とをもつ。
【００３１】
進化したＷＣＤＭＡネットワークでは、Ｌ２ＧＷネットワークノード３とアクセスルータ２は同じ場所にあり、結合した形の無線ネットワーク制御局ＲＮＣである。
【００３２】
将来の実施形では、Ｌ２ＧＷと現在のアクセスルータは物理的にもまた論理的にも図３に示されているように分離されるかもしれない。
【００３３】
本発明のこの実施例では、ユーザ端末はその広域セルラネットワークインタフェース１２においてのみ聴取を行い、そこでＬ２レイヤでの従来のプロトコルメッセージに加え、現在のアクセスルータ２がＣＡＲＤプロトコルの助けを得て通信することができる全ての候補アクセスルータについてのＣＡＲＤ情報を受信する。特に、ユーザ端末はそのＷＬＡＮインタフェース１１を起動してＷＬＡＮアクセスルータ６の存在や能力についての情報を取得する必要はない。即ち、そのような情報とともに他の全ての候補アクセスシステムからの情報はインタフェース１２で受信される。従って、そのユーザ端末の電池の消耗は低減する。もし、ネットワークにおけるアクセスルータが自分の能力についてのアドバタイズメントを同報しないように構成されるなら、エアインタフェースによるシグナリングは低減する。
【００３４】
各アクセスルータは変換されたＣＡＲＤ情報を送信できることが要求されるので、そのルータと関係するアクセスポイント１４には、Ｌ２エンティティ２４、変換器２５、ＱｏＳマネージャ２６とが備えられなければならない。
【００３５】
エアによるシグナリングを低減するために、変換されたＣＡＲＤ情報は、現在のアクセスルータが行なうよりもユーザ端末の必要により適切に適合した能力を提供する候補アクセスルータがあるときだけ、そのユーザ端末に転送される。このことを成し遂げるために、ユーザ端末には、その端末が現在接続されているアクセスルータにより提供されるＣＡＲＤ機能をもつ候補アクセスルータにより提供されるＣＡＲＤ機能を評価し、その評価が現在のアクセスルータのＣＡＲＤ機能よりも良好なＣＡＲＤ機能をもつ候補アクセスルータがあることを示す場合にのみ、レイヤ２の変換されたＣＡＲＤ情報の送信を開始する手段２７が備えられる。その場合には、前記手段は対応するＣＡＲＤ情報を送信するように適合される。
【００３６】
現在のアクセスルータの運用者はユーザ端末に送信されるＣＡＲＤ情報をフィルタしても良く、例えば、駆動されるネットワークのアクセスルータに関係するＣＡＲＤ情報を、その運用者或はその運用者が協力するパートナーだけに転送しても良い。
【００３７】
図４には、本発明の第１実施例における呼フローシーケンスの例が示されている。
【００３８】
図５には、本発明の第２実施例が示されている。この実施例では、たいていのアクセス技術（特に、無線とイーサネット（登録商標））の同報能力を利用する。第１の実施例のように、第２の実施例ではユーザ端末にＩＰ制御プレーンを要求しない。特に、先に検討したＣＡＲＤプロトコルの拡張を含むＣＡＲＤ応答メッセージはそこに挿入されたＣＡＲＤ情報を伴っており、そのメッセージはＬ２情報に変換され、従来の同報されるシステム情報に加えて同報される。拡張されたプロトコルに挿入された情報は、候補アクセスシステムのアクセスポイントで同報される。
【００３９】
なお、ＩＰ制御プレーンのシグナリングはユーザ端末に変換されたＣＡＲＤ情報を転送するために用いられない。そのユーザ端末はこの情報を候補アクセスシステムからの同報送信において受信するが、一方、そのユーザ端末は現在のアクセスルータに接続されている。そのユーザ端末はそれ故に、その全てのインタフェースで聴取を行い、候補アクセスシステムから同報される送信を監視しなければならない。
【００４０】
同報される情報は、両端に矢のついた光のフラッシュのような印で象徴的に示されている。点線で示されている光のフラッシュは、例えば、第４世代（４Ｇ）のアクセスシステムのような不図示の第３のアクセスシステムから発信されたものであり、それは、付加的なインタフェース２８を介してユーザ端末で受信される。
【００４１】
第２実施例による主要な利点は、ユーザ端末が全ての候補アクセスシステムからのＣＡＲＤ情報を受信し、この情報をターゲットアクセスルータ選択のアルゴリズムへの入力として用いる点にある。それ故に、ユーザ端末の必要に最も良く対応するアクセスシステムがアクセスシステムとして選択される。そのアクセスシステムへのユーザ端末の次の接続はそれ故に、最良のアクセスシステムへのアクセスとなろう。言い換えると、次のようなシナリオは回避される。即ち、（１）最初に、その端末が第１のアクセスシステムのアクセスルータに接続し、その後、（２）このアクセスルータがそのＣＡＲＤ情報を端末に送信し、それから（３）その端末のアクセス選択アルゴリズムは受信したＣＡＲＤ情報と第１のアクセスシステムの能力とを比較し、そのユーザ端末の必要に最も良く対応した第２のアクセスシステムがあることを見出し、最後に（４）その端末が第２のアクセスシステムのアクセスルータに接続するというシナリオである。
【００４２】
その端末が一度、選択されたアクセスシステムに接続されたなら、それはその全てのインタフェースで聴取を続け、受信した変換されたＣＡＲＤ情報をそのアクセス選択アルゴリズムに入力する。そのアルゴリズムは定期的にアクセス選択を実行する。
【００４３】
利点のある本発明の第３の実施例は、第１の実施例と第２の実施例との組み合わせである。まず、ユーザ端末は、その全てのインタフェースで同報されたＣＡＲＤ情報を聴取し、最良の候補アクセスルータを選択し、対応するアクセスシステムに接続する。これは、電池の消費が激しいとき、迅速で短い手順である。これで、第２の実施例／動作の態様を終了させる。それ以後、ユーザ端末は、選択されたアクセスネットワークに対するもの以外の全てのそのインタフェースの動作を終了させ、拡張されたＵＭＴＳ或は対応するプロトコルを用いて現在のアクセスルータに対する接続を介して、ユーザ端末がどの候補アクセスルータに対して聴取しているのかに従って、第１の実施例／動作の態様を開始する。このモードでは、電池の消耗は小さい。第３の実施例は、最良のアクセスルータへの即時的なアクセスを保証する。
【図面の簡単な説明】
【００４４】
【図１】ＣＡＲＤの概念を図式的に示す図である。
【図２】現在のＡＲと候補ＡＲとの間と、ユーザ端末と現在のＡＲとの間でのＣＡＲＤメッセージ交換とを図式的に示す図である。
【図３】本発明の第１実施例のネットワークを示す図である。
【図４】呼フローシーケンスである。
【図５】本発明の第２実施例のネットワークを示す図である。
【図１】
2007529136.tif 000003
【図２】
2007529136.tif 000004
【図３】
2007529136.tif 000005
【図４】
2007529136.tif 000006
【図５】
2007529136.tif 000007
【手続補正書】
【提出日】平成17年11月14日(2005.11.14)
【手続補正１】
【補正対象書類名】図面
【補正対象項目名】図２
【補正方法】変更
【補正の内容】
【図２】
2007529136.tif 000008
【国際調査報告】
2007529136.tif 000009
2007529136.tif 000010